(57)【特許請求の範囲】
【請求項１】
テレビ放送を受信する機能及び情報の通信機能を備えたテレビ受信機能付き通信機器において、
視聴しているチャンネルを示す情報及び録画指令を外部の放送受信録画装置に宛てて送信するとともに、視聴しているチャンネルが他のチャンネルに変更されたときに変更後チャンネルを示す情報を前記放送受信録画装置に宛てて送信する通知手段と、
テレビ放送の視聴が開始されたときに前記録画指令を前記放送受信録画装置に宛てて直ぐに又は所定時間後に送信するかどうかを規定する条件を定める判定条件設定部とを備え、
前記通知手段は、前記条件に基づいて前記録画指令を直ぐに又は所定時間後に前記放送受信録画装置に宛てて送信することを特徴とするテレビ受信機能付き通信機器。
【請求項２】
請求項１に記載のテレビ受信機能付き通信機器において、視聴しているチャンネルが他のチャンネルに変更されたときに変更後チャンネルを示す情報を通知するかどうかを規定する条件を定める判定条件設定部を備え、前記通知手段は、前記条件に基づいて変更後チャンネルを示す情報を前記放送受信録画装置に宛てて送信するかどうかを決定することを特徴とするテレビ受信機能付き通信機器。
【請求項３】
テレビ放送を受信する機能及び情報の通信機能を備えたテレビ受信機能付き通信機器において、
視聴しているチャンネルを示す情報及び録画指令を外部の放送受信録画装置に宛てて送信するとともに、視聴しているチャンネルが他のチャンネルに変更されたときに変更後チャンネルを示す情報を前記放送受信録画装置に宛てて送信する通知手段と、
視聴しているチャンネルが他のチャンネルに変更されたときに変更後チャンネルを示す情報を通知するかどうかを規定する条件として、変更前の視聴していたチャンネルの視聴継続時間によって異なる変更後のチャンネルの維持時間を定める判定条件設定部と、
を備え、前記通知手段は、前記条件に基づいて変更後チャンネルを示す情報を前記放送受信録画装置に宛てて送信するかどうかを決定することを特徴とするテレビ受信機能付き通信機器。
【請求項４】
テレビ放送を受信する機能及び情報の通信機能を備えたテレビ受信機能付き通信機器において、
視聴しているチャンネルを示す情報及び録画指令を外部の放送受信録画装置に宛てて送信するとともに、視聴しているチャンネルが他のチャンネルに変更されたときに変更後チャンネルを示す情報及び当該変更チャンネルについての録画指令を外部の別の放送受信録画装置に宛てて送信する通知手段を備えることを特徴とするテレビ受信機能付き通信機器。
【請求項５】
請求項４に記載のテレビ受信機能付き通信機器において、視聴しているチャンネルが他のチャンネルに変更されたときに変更後チャンネルを示す情報を通知するかどうかを規定する条件を定める判定条件設定部を備え、前記通知手段は、前記条件に基づいて変更後チャンネルを示す情報を前記放送受信録画装置に宛てて送信するかどうかを決定することを特徴とするテレビ受信機能付き通信機器。
【請求項６】
テレビ放送を受信する機能及び情報の通信機能を備えたテレビ受信機能付き通信機器において、
視聴しているチャンネルを示す情報及び録画指令を、複数のチューナを備えて各チューナで受信したテレビ放送を録画できる外部の放送受信録画装置に宛てて送信するとともに、視聴しているチャンネルが他のチャンネルに変更されたときに変更後チャンネルを示す情報及び当該変更チャンネルについての新たな録画指令を前記放送受信録画装置に宛てて送信する通知手段を備えることを特徴とするテレビ受信機能付き通信機器。
【請求項７】
請求項６に記載のテレビ受信機能付き通信機器において、視聴しているチャンネルが他のチャンネルに変更されたときに変更後チャンネルを示す情報を通知するかどうかを規定する条件を定める判定条件設定部を備え、前記通知手段は、前記条件に基づいて変更後チャンネルを示す情報を前記放送受信録画装置に宛てて送信するかどうかを決定することを特徴とするテレビ受信機能付き通信機器。
【請求項８】
請求項１乃至請求項７のいずれかに記載のテレビ受信機能付き通信機器において、前記通知手段は、複数の外部の放送受信録画装置の宛て先情報と各放送受信録画装置の属性とを記憶する手段を備え、視聴している番組の属性と各放送受信録画装置の属性とに基づいて録画指令又はチャンネル変更指令を与える対象となる放送受信録画装置を選択することを特徴とするテレビ受信機能付き通信機器。
【請求項９】
請求項１乃至請求項８のいずれかに記載のテレビ受信機能付き通信機器において、当該通信機器はテレビ受信機能として地上ディジタル放送における１セグ放送を受信する機能を備え、前記通知手段は、受信している１セグ放送に対応する１２セグメント放送又はプライマリチャンネルを受信するための情報を前記チャンネルを示す情報として送信することを特徴とするテレビ受信機能付き通信機器。
【請求項１０】
請求項１乃至請求項９のいずれかに記載のテレビ受信機能付き通信機器において、前記通知手段は、テレビ視聴開始時にユーザ入力された終了時刻又は番組情報に基づいて得られる番組終了時刻に基づいて、前記放送受信録画装置に録画終了指示又は録画終了時刻を通知することを特徴とするテレビ受信機能付き通信機器。
【請求項１１】
請求項１乃至請求項９のいずれかに記載のテレビ受信機能付き通信機器において、前記通知手段は、テレビ視聴が終了したときに、前記放送受信録画装置に録画終了指示を通知することを特徴とするテレビ受信機能付き通信機器。
【請求項１２】
視聴しているチャンネルを示す情報及び録画指令を示す情報を受信して前記視聴しているチャンネルの選局及び録画処理を実行するとともに変更後チャンネルを示す情報を受信したときに当該変更後チャンネルを選局して録画処理を行う録画手段と、
視聴しているチャンネルが他のチャンネルに変更されたときに変更後チャンネルについての録画を実行するかどうかを規定する条件として、変更前の視聴していたチャンネルの視聴継続時間によって異なる変更後のチャンネルの維持時間を定める判定条件設定部と、を備え、
前記録画手段は、前記条件に基づいて変更後チャンネルの録画を実行するかどうかを決定することを特徴とする放送受信録画装置。を備えたことを特徴とする放送受信録画装置。
【請求項１３】
視聴しているチャンネルを示す情報及び録画指令を示す情報を受信して前記視聴しているチャンネルの選局及び録画処理を実行するとともに変更後チャンネルを示す情報を受信したときに当該変更後チャンネルを選局して録画処理を行う録画手段と、
録画指示を受信したときに直ぐに又は所定時間後に録画開始を行うかどうかを規定する条件を定める判定条件設定部を備え、
前記録画手段は、前記条件に基づいて直ぐに又は所定時間後に録画を実行することを特徴とする放送受信録画装置。
【請求項１４】
請求項１３に記載の放送受信録画装置において、前記条件は、変更後のチャンネルの維持時間であることを特徴とする放送受信録画装置。
【請求項１５】
請求項１４に記載の放送受信録画装置において、前記判定判定条件設定部における変更後のチャンネルの維持時間は、変更前の視聴していたチャンネルの視聴継続時間によって異なることを特徴とする放送受信録画装置。
【発明の詳細な説明】
【技術分野】
【０００１】
この発明は、テレビ受信機能付き通信機器及び放送録画装置に関する。
【背景技術】
【０００２】
従来より、テレビ受信機能付き携帯電話が提供されており、かかる携帯電話は内蔵の小型チューナによって地上波アナログ放送を受信し、液晶表示パネルに受信映像を映し出すようになっている。また、地上波ディジタル放送においても同様に小型装置で受信することが可能である。しかし、携帯電話などモバイル機器の画面は小さく、映像の精細さに欠けるため、更には、電波状態の悪化で放送を見られないことが生じるため、後で家庭のテレビなどで見たいという要求や、現在見ている番組を後から何度も見られるよう保存しておきたいという要求がでてくる。
【０００３】
外出先から録画予約する機能はビデオレコーダにおけるネットワーク録画予約機能として実現されており、家にいる家族や知人に番組の録画をお願いしなくても自分で録画予約をすることが可能である。このネットワーク録画予約機能を実現するためには外出先にある機器から家庭内のビデオレコーダに録画する番組の情報（放送チャンネル、開始時刻、終了時刻など）を伝送する必要がある。現在主流となっているＩＰｖ４（internet protocol version ４）環境では、家庭内にある機器に固定のグローバルアドレスが割当てられることが少ない上、ネットワークセキュリティを考慮してインターネットの入り口にファイアウォールを設置してインターネットから家庭内の機器に不正にアクセスできないようになっていることが多い。このため、ネットワーク録画予約機能を実現するためには、外出先から家庭内のビデオレコーダに番組情報を伝送する特殊な仕組みが必要となる（特許文献１，特許文献２，特許文献３参照）。この仕組みをその方法と特徴から、ここでは「メール方式」「データ登録方式」「リアルタイム方式」の大きく３つに分類する。以下、それぞれの方式について説明する。
【０００４】
まず、「メール方式」について説明する。ユーザは外出先からＰＣ（パーソナルコンピュータ）や携帯電話を使って録画指令情報が書かれた定型フォーマットのメールを、予めビデオレコーダに登録しているメールサーバに送信する。ビデオレコーダは、一定時間間隔で登録されているビデオサーバのアカウントのメールを読み出しており、読み出したメールの中に定型のメールがあった場合、自動的に録画指令情報を抽出して録画予約処理を行う。情報伝達方法にリアルタイム性が求められないメールを使っている上、ビデオレコーダからのメール読み出しについても、メールがメールサーバに届いて直ぐというわけにはいかないためリアルタイムに録画することはできない。
【０００５】
次に、「データ登録方式」について説明する。ユーザはインターネット上に設置されたＷｅｂサーバに外出先からＰＣや携帯電話を使ってアクセスし、Ｗｅｂページに書かれたＥＰＧ（電子プログラムガイド）から予約する番組を選択する。Ｗｅｂサーバは同じくインターネット上のデータサーバにユーザから選択された番組の情報を転送しておく。ビデオレコーダは、メール方式と同様に、一定時間間隔でデータサーバに登録されているデータの読み出しを行い、データサーバに録画指令情報が存在すればそれを読み出し、自動的に録画指令内容を抽出して録画予約処理を行う。Ｗｅｂサーバとデータサーバ、データサーバとビデオレコーダの情報のやりとりは、ＰＯＰ（メール受信プロトコル）やＨＴＴＰ（Ｗｅｂプロトコル）など任意のプロトコルによって行われるため、データサーバは同時にメールサーバやＷｅｂサーバなどの機能を持つ。この方式もメール方式と同様、ビデオレコーダのデータの読み出しがデータサーバに情報が届いてすぐというわけにはいかないため、リアルタイムに録画することはできない。メール方式と似ているが、ここでは外出先からユーザがメールを送信するか、Ｗｅｂページから番組を選択するかによって区別することとしている。
【０００６】
最後に「リアルタイム方式」について説明する。この方式は、上述した２方式とは違いリアルタイムでビデオレコーダまで情報を伝達できる。実現方法にはいくつかあるが一例を以下に示す。これはＶＰＮ（virtual private network ）とダイナミックＤＮＳ（domain name system）を使って外出先から家庭内のビデオレコーダに直接アクセスできる環境を作り、ビデオレコーダ内のＷｅｂサーバと外出先のＰＣや携帯電話が直接データをやり取りする。この方式はリアルタイム性が特徴であるため、外出先のユーザはＷｅｂブラウザを用いてＨＴＴＰで情報をやり取りすることが多い。
【特許文献１】特開２００６−２０２４８号公報
【特許文献２】特開２００５−１６７３１３号公報
【特許文献３】特開２００３−３３９０４１号公報
【発明の開示】
【発明が解決しようとする課題】
【０００７】
しかしながら、上記従来の技術は、外部のビデオレコーダに携帯電話等から録画予約を行うことを実現する技術にすぎない。従って、携帯電話で視聴している放送（番組）と同じ放送（番組）を同時的に外部のビデオレコーダが受信して録画することは実現されていない。
【０００８】
この発明は、上記の事情に鑑み、携帯電話等で視聴している放送（番組）と同じ放送（番組）を同時的に外部のビデオレコーダが受信して録画することを実現することを目的とする。ここで、携帯電話等で視聴している番組でコマーシャルになったときにザッピングが行われることも考えられ、このようなザッピングによって外部のビデオレコーダによる録画対象放送も切り替わることになると、録画映像が途切れ途切れになってしまう。そこで、携帯電話等における放送視聴のザッピングで外部のビデオレコーダによる録画映像が途切れ途切れになることを抑制することなども目的とする。
【課題を解決するための手段】
【０００９】
この発明のテレビ受信機能付き通信機器は、上記課題を解決するために、テレビ放送を受信する機能及び情報の通信機能を備えたテレビ受信機能付き通信機器において、視聴しているチャンネルを示す情報及び録画指令を外部の放送受信録画装置に宛てて送信するとともに、視聴しているチャンネルが他のチャンネルに変更されたときに変更後チャンネルを示す情報を前記放送受信録画装置に宛てて送信する通知手段を備えたことを特徴とする。
【００１０】
上記の構成であれば、テレビ受信機能付き通信機器で視聴している放送（番組）と同じ放送（番組）を同時的に外部のビデオレコーダが受信して録画することが実現される。なお、視聴チャンネルを示す情報及び録画指令を外部の放送受信録画装置に宛てて送信するタイミングは、テレビ視聴開始時とすればよいが、これ以外に、録画指令ボタンが操作されたときに上記送信を実行することとしてもよい。
【００１１】
上記構成のテレビ受信機能付き携帯通信機器において、視聴しているチャンネルが他のチャンネルに変更されたときに変更後チャンネルを示す情報を通知するかどうかを規定する条件を定めた判定テーブルを備え、前記通知手段は、前記条件に基づいて変更後チャンネルを示す情報を前記放送受信録画装置に宛てて送信するかどうかを決定することとしてもよい。上記判定テーブルを有することで、テレビ受信機能付き携帯通信機器における放送視聴のザッピングで外部のビデオレコーダによる録画映像が途切れ途切れになることを抑制することができる。
【００１２】
前記判定テーブルにおける条件は、変更後のチャンネルの維持時間であるのがよい。前記判定テーブルにおける変更後チャンネル維持時間は、変更前の視聴していたチャンネルの視聴継続時間によって異なるようにしてもよい。
【００１３】
これら構成のテレビ受信機能付き携帯通信機器において、テレビ放送の視聴が開始されたときに前記録画指令を前記放送受信録画装置に宛てて直ぐに又は所定時間後に送信するかどうかを規定する条件を定めた判定テーブルを備え、前記通知手段は、前記条件に基づいて前記録画指令を直ぐに又は所定時間後に前記放送受信録画装置に宛てて送信することとしてもよい。
【００１４】
また、これら構成のテレビ受信機能付き携帯通信機器において、前記通知手段は、視聴しているチャンネルが他のチャンネルに変更されたときに変更後チャンネルを示す情報を前記放送受信録画装置に宛てて送信することに替えて、視聴しているチャンネルが他のチャンネルに変更されたときに変更後チャンネルを示す情報を外部の別の放送受信録画装置に宛てて送信することとしてもよい。かかる構成であれば、変更前チャンネルの番組録画に追加する形態で変更後チャンネルの番組も録画されることになる。
【００１５】
また、これら構成のテレビ受信機能付き携帯通信機器において、前記通知手段は、視聴しているチャンネルが他のチャンネルに変更されたときに変更後チャンネルを示す情報を前記放送受信録画装置に宛てて送信することに替えて、視聴しているチャンネルが他のチャンネルに変更されたときに変更後チャンネルを示す情報及び当該変更チャンネルについての新たな録画指令を前記放送受信録画装置に宛てて送信することとしてもよい。この構成は、放送受信録画装置が複数のチューナを備えており、各チューナで受信した番組をそれぞれ録画できる場合に利用できる。
【００１６】
また、これら構成のテレビ受信機能付き携帯通信機器において、前記通知手段は、複数の外部の放送受信録画装置の宛て先情報と各放送受信録画装置の属性とを記憶する手段を備え、視聴している番組の属性と各放送受信録画装置の属性とに基づいて録画指令又はチャンネル変更指令を与える対象となる放送受信録画装置を選択することとしてもよい。かかる構成であれば、例えば、ハイビジョン番組はハイビジョン対応の放送受信録画装置に録画を実行させ、非ハイビジョン番組はハイビジョン非対応の放送受信録画装置に録画を実行させるといった使い分けが可能になる。
【００１７】
また、これら構成のテレビ受信機能付き携帯通信機器において、当該通信機器はテレビ受信機能として地上ディジタル放送における１セグ放送を受信する機能を備え、前記通知手段は、受信している１セグ放送に対応する１２セグメント放送又はプライマリチャンネルを受信するための情報を前記チャンネルを示す情報として送信することとしてもよい。
【００１８】
また、これら構成のテレビ受信機能付き携帯通信機器において、前記通知手段は、テレビ視聴開始時にユーザ入力された終了時刻又は番組情報に基づいて得られる番組終了時刻に基づいて、前記放送受信録画装置に録画終了指示又は録画終了時刻を通知することとしてもよい。或いは、前記通知手段は、テレビ視聴が終了したときに、前記放送受信録画装置に録画終了指示を通知することとしてもよい。
【００１９】
また、この発明の放送受信録画装置は、視聴しているチャンネルを示す情報及び録画指令を示す情報を受信して前記視聴しているチャンネルの選局及び録画処理を実行するとともに変更後チャンネルを示す情報を受信したときに当該変更後チャンネルを選局して録画処理を行う録画手段を備えたことを特徴とする。
【００２０】
上記構成であれば、テレビ受信機能付き通信機器で視聴している放送（番組）と同じ放送（番組）を同時的に外部のビデオレコーダが受信して録画することが実現される。
【００２１】
上記構成の放送受信録画装置において、視聴しているチャンネルが他のチャンネルに変更されたときに変更後チャンネルについての録画を実行するかどうかを規定する条件を定めた判定テーブルを備え、前記録画手段は、前記条件に基づいて変更後チャンネルの録画を実行するかどうかを決定することとしてもよい。上記判定テーブルを有することで、テレビ受信機能付き携帯通信機器における放送視聴のザッピングで外部のビデオレコーダによる録画映像が途切れ途切れになることを抑制することができる。
【００２２】
前記判定テーブルにおける条件は、変更後のチャンネルの維持時間であるのがよい。前記判定テーブルにおける変更後チャンネル維持時間は、変更前の視聴していたチャンネルの視聴継続時間によって異なるようにしてもよい。
【００２３】
これら構成の放送受信録画装置において、録画指示を受信したときに直ぐに又は所定時間後に録画開始を行うかどうかを規定する条件を定めた判定テーブルを備え、前記録画手段は、前記条件に基づいて直ぐに又は所定時間後に録画を実行することとしてもよい。
【発明の効果】
【００２４】
この発明によれば、テレビ番組を見ながら当該番組を家庭のビデオレコーダに録画させる処理を簡単に行うことができる。また、テレビ受信機能付き携帯通信機器における放送視聴のザッピングで外部のビデオレコーダによる録画映像が途切れ途切れになることを抑制できる等の諸効果を奏する。
【発明を実施するための最良の形態】
【００２５】
以下、この発明の実施形態のテレビ受信機能付き携帯通信機器及び放送受信録画装置を図１乃至図４に基づいて説明する。なお、以下に示す例では、テレビ受信機能付き携帯通信機器（以下、単に携帯電話という）でテレビ番組を見ながら当該番組を家庭の放送受信録画装置（以下、ビデオレコーダという）に録画させる処理を行うこととしており、先述の特許文献１（特開２００６−２０２４８号公報）に記載のネットワーク録画指令技術を利用する場合を例示しているが、ネットワーク録画指令技術自体は他の技術を用いることが可能である。
【００２６】
図１は、この実施形態の携帯電話１０を示したブロック図である。また、図２は放送録画システムの概略構成を示した説明図であり、このシステムは、携帯電話１０とサーバ３０とインターネット４０と家庭内に置かれたビデオレコーダ５０とから成る。ビデオレコーダ５０は、ネットワーク録画機能が搭載されている既存のビデオレコーダで実現できる。また、ネットワーク録画機能を実現するサーバ３０も既存のものが利用可能である。
【００２７】
図１のブロック図において、チューナ１１は、ユーザの選局操作による選局情報に基づいて地上アナログ放送や地上ディジタルテレビ放送波を受信し、復調、デコード等の処理を行って映像信号を生成する。表示部１２は例えば液晶パネルから成り、前記地上ディジタルテレビ放送の映像信号に基づいて映像表示を行う他、Ｗｅｂクライアント部１７により生成された画像の表示や、図示しないＯＳＤ（オンスクリーンディスプレイ）回路にて生成された画像の表示などを行う。通信制御部１３は、Ｗｅｂクライアント部１７の動作時の通信処理、メール送受信部１８の動作時の通信処理などを行う。ＣＰＵ１４は携帯電話１０における各種処理を行う他、後述する録画指令のための文字列生成等に関わる処理も行う。メモリ（ＲＯＭ、ＲＡＭ、ＥＥＰＲＯＭ、フラッシュメモリ等）１５には、各種プログラムが格納される他、録画指令に係わる判定ルールが格納される。この判定ルールについては、後述する。操作部１６には、テンキー、十字キー（矢印キー）、各種機能キーが設けられる。この実施形態では、操作部１６にＴＶ視聴ボタン（図示せず）を設けている。なお、ＴＶ視聴ボタンは専用のボタンでもよいし、或いは、画面上の表示で「ＴＶ視聴」といった表記に位置的に対応しているボタンを用いる方式でもよいし、或いは、画面に表示されたボタン（タッチパネル方式）でもよい。
【００２８】
Ｗｅｂクライアント部１７は、インターネット上に存在するリソースへの到達方法を特定する表記（ＵＲＬ）を送信する処理、リソース側から送信されてくるＨＴＭＬファイル等を解釈して表示画像データを生成する処理等を行う。メール送受信部１８は、インターネット上のメールサーバからメールを受信したり、或いは前記メールサーバにメール文を送信する処理を行う。録画指示処理部１９は後述する録画指示処理を行う。データベース２０には各種データが格納される他、ユーザによって設定されたビデオレコーダ５０を特定する情報（メールアドレス、ＩＰアドレス、ホスト名など）、チャンネルの番号から放送局ＩＤを知るための放送局ＩＤ対応表、合言葉など、ネットワーク録画に必要な情報が登録されている。なお、地上ディジタル放送では受信放送波のＰＳＩ／ＳＩからネットワークＩＤ等の情報を取得することができ、前記放送局ＩＤ対応表を用いずに前記ネットワークＩＤ等を用いてチャンネルを特定することができる。電話部２１は本来の機能である電話のための処理を行う。
【００２９】
この実施例では、リアルタイム方式でビデオレコーダ５０への情報のやり取りをＷｅｂで行うこととしており、録画指令送信文字列として、例えば下記のフォーマットのＵＲＬ文字列が録画指示処理部１９によって作成されてＷｅｂクライアント部１７に与えられる。
ｈｔｔｐ：／／〔サーバ名〕／〔サーバ内のＣＧＩプログラムパス〕♯ｉｄ＝〔放送局ＩＤ〕＆ｗｏｒｄ＝〔あいことば〕
【００３０】
ＣＰＵ１４は、基本的には、ＴＶ視聴ボタンの押下を検出すると、放送受信処理を開始するとともに、現在受信している放送（番組）をビデオレコーダ５０に録画させるための指令処理を行う。具体的には、ＣＰＵ１４は、現在視聴しているチャンネルの番号を録画指示処理部１９に与え、更にユーザによってチャンネルが変更されると、原則的にはこの変更後のチャンネルの番号を録画指示処理部１９に与える。録画指示処理部１９はＣＰＵ１４からチャンネル番号が与えられると先述したＵＲＬ文字列を作成してＷｅｂクライアント部１７に与える。Ｗｅｂクライアント部１７は新たなＵＲＬ文字列が作成されるたびにサーバ３０への送信処理を行う。上記処理内容は基本的内容であり、判定ルールに従って処理内容は変わる。
【００３１】
ビデオレコーダ５０における録画のための構成例を図３に示す。この構成図において、ネットワーク録画機能を実現しているのが録画情報受信部５１及びＣＰＵ５４である。録画情報受信部５１は、ＰＯＰ（メール受信プロトコル）クライアントやＨＴＴＰ（Ｗｅｂプロトコル）サーバとして機能する。この実施形態では、リアルタイム方式でデータサーバからビデオレコーダへの情報のやり取りがＷｅｂでなされることとしており、先述したフォーマットのＵＲＬの要求が録画情報受信部５１であるビデオレコーダ５０内のＷｅｂサーバに送られる。
【００３２】
この場合、録画情報受信部５１は、サーバ内のＣＧＩ（commom gateway interface）プログラムであり、ＣＧＩプログラムは‘♯’以降の情報を抽出する。上記の例はＧＥＴ（ドキュメントの取得）リクエストの場合を示しているが、ＰＯＳＴ（サーバにデータを送信する）リクエストの場合も同様にＣＧＩプログラムで番組情報（選局情報）を取得することができる。
【００３３】
このように、録画情報受信部５１が受け取った録画番組情報（録画指令内容）はＣＰＵ５４に渡される。ＣＰＵ５４は前記放送局ＩＤを図示しない放送局ＩＤ対応表に照らしてチャンネル番号を判定し、判定したチャンネル番号に基づいて選局情報を録画部５５のチューナに与える。チューナが受信した番組（映像・音声）の映像及び音声は録画部５５によって映像データ及び音声データに変換されてハードディスク５２に記録される。
【００３４】
次に、携帯電話１０のメモリ１５に格納されている判定ルールについて説明していく。この判定ルールは、携帯電話１０側で行われた操作に基づいてビデオレコーダ５０に録画開始指示や録画番組変更指示を伝えるときの判断基準である。
【００３５】
［判定ルール］
（１）チャンネル変更後所定時間が経過するまではビデオレコーダ５０における現在の録画状態を維持する。具体的には、ＣＰＵ１４はチャンネル変更後所定時間が経過するまでは変更チャンネル番号を録画指示処理部１９に与えない。従って、変更チャンネルに係わるＵＲＬ文字列は作成されず、ビデオレコーダ５０への新たな指令はなされない。従って、ビデオレコーダ５０における現在チャンネルの録画処理が維持される。
【００３６】
（２）チャンネル変更後所定時間が経過すると、ビデオレコーダ５０において受信チャンネルを変更させ、当該変更後のチャンネルの録画を実行させる。具体的には、ＣＰＵ１４はチャンネル変更後所定時間が経過すると、変更チャンネル番号を録画指示処理部１９に与える。従って、変更チャンネルに係わるＵＲＬ文字列が作成され、これがサーバ３０に送信されてビデオレコーダ５０への新たな指令がなされる。従って、ビデオレコーダ５０において変更チャンネルの番組録画処理が行われる。
【００３７】
（３）前記チャンネル変更後所定時間は、チャンネル変更前までの番組視聴時間の長短によって異なる。例えば、変更前チャンネルの番組視聴時間が１５分未満であれば、前記チャンネル変更後所定時間を１５秒とし、変更前チャンネルの番組視聴時間が１５分以上であれば、前記チャンネル変更後所定時間を１分とする。勿論、上記秒数は例示であり、これに限定されることはない。
【００３８】
（４）なお、録画開始の判定ルールを設定しておいてもよい。例えば、ＥＰＧから番組を指定してＴＶ視聴を開始したときには、直ちに、ビデオレコーダ５０において録画を実行させる。具体的には、ＣＰＵ１４は現在チャンネル番号を直ちに録画指示処理部１９に与える。従って、ＴＶ視聴開始時のチャンネルに係わるＵＲＬ文字列が作成され、これがサーバ３０に送信されてビデオレコーダ５０への指令がなされる。一方、ＴＶ視聴ボタンが押下されたときには、この押下から１５秒経過した後に、ビデオレコーダ５０において録画を実行させる。具体的には、ＣＰＵ１４はＴＶ視聴開始後１５秒経過を待って現在チャンネル番号を録画指示処理部１９に与える。勿論、上記秒数は例示であり、これに限定されることはない。
【００３９】
上述したごとく、チャンネル変更後所定時間が経過すると、前記判定ルールにおいて（１）から（２）への変更が行われる。図４はＣＰＵ１４の処理内容を示したフローチャートである。ＴＶ視聴開始後において、番組切替等のユーザ操作がなされ、この操作に従った処理及び時間計測等の処理がＣＰＵ１４においてなされる（ステップＳ１）。ＣＰＵ１４は、判定ルール変更条件が満たされたかどうかを判断する（ステップＳ２）。変更条件が満たされたときには、判定ルールを変更する（ステップＳ３）。次に、現時点で採用している判定ルールを満たしているかどうかを判断する（ステップＳ４）。満たされていなければ、ステップＳ１に進み、満たされているときには、録画要求等の処理を行い（ステップＳ５）、ステップＳ１に進む。
【００４０】
なお、放送局ＩＤ対応表における放送局ＩＤとチャンネル番号との対応は、アナログ放送−アナログ放送、或いはディジタル放送−ディジタル放送に限るものではない。すなわち、携帯電話１０でアナログのＮＮＮ総合放送を受信する場合でも、ビデオレコーダ５０においては地上波ディジタルのＮＮＮ総合放送が対応付けられるようにしてもよい。勿論、ディジタル放送−ディジタル放送においては、テレビ受信機能付き通信機器（例えば、車載型機器）において１２セグメント放送を受信し、ビデオレコーダ５０においても１２セグメント放送を受信することも考えられるし、携帯電話１０において１セグ放送を受信し、この１セグ放送に対してビデオレコーダ５０においては１２セグメント放送或いはプライマリチャンネルが対応付けられるようにしてもよい。サイマル放送では、プライマリチャンネルで放送する番組が１セグ放送でも提供されるので、ビデオレコーダ５０においてはプライマリチャンネルを選局するのがよい。
【００４１】
前記ＣＰＵ１４及び予約指示処理部１９は、視聴チャンネルが他のチャンネルに変更されたときに変更後チャンネルを示す情報を前記ビデオレコーダ５０（以下、Ａと記す場合がある）に宛てて送信することに替えて、視聴チャンネルが他のチャンネルに変更されたときに変更後チャンネルを示す情報を外部の別のビデオレコーダ（以下、Ｂと記す場合がある）に宛てて送信することとしてもよい。この場合、例えば、
（イ）携帯電話１０でテレビＯＮ
（ロ）８ｃｈを受信
（ハ）ビデオレコーダＡに録画指示送信
（ニ）１０ｃｈに変更
（ホ）判定ルールの条件を満たすかどうかの判断
（ヘ）条件を満たした時、１０ｃｈの録画をビデオレコーダＢに指示
（ト）ビデオレコーダＡにおける８ｃｈ録画は維持
の流れによる処理がなされる。
【００４２】
仮に、先述した判定ルールを設けていないとすると、携帯電話１０においてチャンネルを変えるたびに次々と複数のビデオレコーダに対して録画指示が送信されることになる。上記判定ルールを設けておくことで、無駄にビデオレコーダが使用されるのを回避できる。より具体的には、携帯電話１０に、予め複数のビデオレコーダに関する情報を登録しておく。例えば、下記のフォーマットのＵＲＬ文字列が録画指示処理部１９によって作成されてＷｅｂクライアント部１７に与えられる。
（１）第１のビデオレコーダについて、
ｈｔｔｐ：／／〔サーバ名（１）〕／〔サーバ内のＣＧＩプログラムパス〕♯ｉｄ＝〔放送局ＩＤ〕＆ｗｏｒｄ＝〔あいことば〕
（２）第２のビデオレコーダについて、
ｈｔｔｐ：／／〔サーバ名（２）〕／〔サーバ内のＣＧＩプログラムパス〕♯ｉｄ＝〔放送局ＩＤ〕＆ｗｏｒｄ＝〔あいことば〕
のごとくである。
なお、メール方式を用いるときには、各ビデオレコーダにメールアドレスが付与されていればよい。
【００４３】
携帯電話１０は、現時点でどのビデオレコーダにどのチャンネルを録画させているかを管理（記憶）しておくことになる。なお、先述した流れによる処理で更に６ｃｈに変更されたとき、判定ルールの条件を満たすかどうかの判断を行い、条件を満たした時、６ｃｈの録画をビデオレコーダＡに指示してもよい。この場合、Ａ→Ｂ→Ａ→Ｂ…のごとく、ビデオレコーダが切り替えられることになる。
【００４４】
前記ＣＰＵ１４及び予約指示処理部１９は、視聴しているチャンネルが他のチャンネルに変更されたときに変更後チャンネルを示す情報を前記ビデオレコーダ５０に宛てて送信することに替えて、視聴しているチャンネルが他のチャンネルに変更されたときに変更後チャンネルを示す情報及び当該変更チャンネルについての新たな録画指令を前記ビデオレコーダ５０に宛てて送信することとしてもよい。この構成は、ビデオレコーダ５０が複数のチューナを備えており、各チューナで受信した番組をそれぞれ録画できる構成である場合に利用できる。処理の流れについては、上述した別々のビデオレコーダに対する処理の流れと同様である。
【００４５】
前記ＣＰＵ１４及び予約指示処理部１９は、メモリ１５を用いて、複数の外部のビデオレコーダの宛て先情報と各放送受信録画装置の属性とを記憶しておき、受信番組の属性と各ビデオレコーダの属性とに基づいて録画指令又はチャンネル変更指令を与える対象となるビデオレコーダを選択することとしてもよい。例えば、ハイビジョン対応のビデオレコーダと非対応のビデオレコーダとが在るとする。この場合の属性はハイビジョン対応か非対応かである。例えば、携帯電話１０が１セグ放送を受信しており、１２セグメントでハイビジョン放送が行われているとの情報を例えば番組情報によって得たときには、前記ＣＰＵ１４及び予約指示処理部１９は、ハイビジョン対応のビデオレコーダに録画指令又はチャンネル変更指令を与える。
【００４６】
或いは、ユーザは、或るビデオレコーダをスポーツ番組録画用とし、他のビデオレコーダを他の番組録画用として使い分けしているとする。この場合の属性は番組ジャンルである。例えば、携帯電話１０が野球放送を受信しており、受信番組がスポーツであるとのジャンル情報を例えば番組情報によって得たときには、前記ＣＰＵ１４及び予約指示処理部１９は、スポーツ番組録画用のビデオレコーダに録画指令又はチャンネル変更指令を与える。
【００４７】
前記ＣＰＵ１４及び予約指示処理部１９は、テレビ視聴開始時にユーザ入力された終了時刻又は番組情報に基づいて得られる番組終了時刻に基づいて、ビデオレコーダ５０に録画終了指示又は録画終了時刻を通知してもよい。或いは、前記ＣＰＵ１４及び予約指示処理部１９は、テレビ視聴が終了したときに、ビデオレコーダ５０に録画終了指示を通知してもよい。後者の通知方法は、ビデオレコーダ５０が大容量の記録媒体を有する場合に有効である。勿論、携帯電話１０に設けられている「録画停止」といったボタンが操作されたときにビデオレコーダ５０に録画終了指示を通知してもよい。
【００４８】
また、以上説明した例では、携帯電話１０が判定テーブルを備えることとしたが、ビデオレコーダ５０が判定テーブルを備えることとしてよい。この場合、携帯電話１０においては、時間経過等を何ら考慮せずに、ユーザによってチャンネルが変更されるたびに、この変更後の現在視聴しているチャンネルの番号を録画指示処理部１９に与え、録画指示処理部１９は新たなチャンネル番号が与えられると先述したＵＲＬ文字列を作成してＷｅｂクライアント部１７に与え、Ｗｅｂクライアント部１７は新たなＵＲＬ文字列が作成されるたびにサーバ３０への送信処理を行えばよい。
【００４９】
ビデオレコーダ５０における判定テーブルの内容は、以下のようになる。
【００５０】
［判定ルール（ビデオレコーダ用）］
（５）新たなＵＲＬ文字列を受信してもその時点から所定時間が経過するまではビデオレコーダ５０はチャンネルを変更しない。具体的には、録画情報受信部５１は、新たなＵＲＬ文字列を受信するとこのＵＲＬ文字列に含まれている放送局ＩＤをＣＰＵ５４に与え、ＣＰＵ５４は放送局ＩＤから新たなチャンネル番号を判断するが、ＣＰＵ５４は直ちに新たなチャンネル番号による選局情報を録画部５５に与える分けではない。すなわち、ＣＰＵ５４は、新たなチャンネル番号を判断しても所定時間が経過するまでは選局情報を録画部５５には与えない。従って、ビデオレコーダ５０における現在の録画処理が維持される。
（６）ＣＰＵ５４は、新たなチャンネル番号を判断してから所定時間が経過すると、録画部５５において受信チャンネルを変更させ、当該変更後のチャンネルの録画を実行させる。従って、ビデオレコーダ５０において変更チャンネルでの録画処理が行われる。
（７）前記所定時間は、チャンネル変更前までの時間経過の長短によって変更する。例えば、時間経過が１５分未満であれば、前記所定時間を１５秒とし、時間経過が１５分以上であれば、前記所定時間を１分とする。勿論、これは例示であり、これに限定されることはない。
【図面の簡単な説明】
【００５１】
【図１】この発明の実施形態のテレビ受信機能付き携帯通信機器（携帯電話）の構成を示したブロック図である。
【図２】録画予約システムの概要を示した説明図である。
【図３】ビデオレコーダの構成を示したブロック図である。
【図４】録画予約のための処理内容を示したフローチャートである。
【符号の説明】
【００５２】
１０    携帯電話（テレビ受信機能付き携帯通信機器）
１１    チューナ
１３    通信制御部
１６    操作部
１７    Ｗｅｂクライアント部
１８    メール送受信部
１９    録画指示処理部
５０    ビデオレコーダ（放送受信録画装置）
５１    録画情報受信部
５５    録画部
【図１】
0004627044.tif 000002
【図２】
0004627044.tif 000003
【図３】
0004627044.tif 000004
【図４】
0004627044.tif 000005